(57)【要約】【課題】照度の大きい照明装置を提案する。【解決手段】複数の反射面３ＡＸ〜３ＨＸによって形成された角錐空間部３Ｘ１において、光源２から放射された放射光ｅに基づいて、散乱反射光ｅｘ２、ｅｘ２１〜ｅｘ２５、ｅｘ２１−１、ｅｘ２１−１−１……ｅｘ２１−１−１−１−１を生起させ、当該散乱反射光成分を集めて照明光として角錐空間部３Ｘ１の開口から射出させるようにしたことにより、照射光度が大きい照射光を照射できる照明装置１を得ることができる。【選択図】図５
2013201036.tif 000002
【特許請求の範囲】
【請求項１】
光源を通る中心軸線を中心として、互いに連接する複数の反射面を対向するように設けることにより形成された角錐空間部を有し、
上記複数の反射面は、上記中心軸線を直交する幅方向において、当該幅方向と直交する方向に、外方に、湾曲していると共に、
上記角錐空間において生起した反射光を照明光として上記角錐空間の開口から射出する
ことを特徴とする照明装置。
【請求項２】
上記複数の反射面は、それぞれ、内面に、上記幅方向と直交する板厚方向に湾曲する反射板によって形成されている
ことを特徴とする請求項１に記載の照明装置。
【請求項３】
上記光源は、上記角錐空間部において、上記中心軸線に対して横方向に放射光を放射することにより、上記複数の反射面の根元部分に反射光像を生成し、
上記複数の反射面は、当該反射光像を構成する光束の光成分を、当該放射光が入射された位置における湾曲形状に基づいて発散する方向にある上記反射面の１つに向けて反射光束として反射させる
ことを特徴とする請求項１又は２に記載の照明装置。
【請求項４】
上記反射光束を受けた上記反射面の１つは、当該反射光束を構成する光成分を、当該反射光束が入射された位置における湾曲形状に基づいて発散する方向にある上記反射面の他の１つに向けて反射分散光束として反射させる
ことを特徴とする請求項３に記載の照明装置。
【請求項５】
上記反射分散光束を受けた上記反射面の１つは、光該反射分散光束を構成する光成分を、当該反射分散光束が入射された位置における湾曲形状に基づいて分散する方向にある上記反射面の他の１つに向けて副次的反射分散光束として反射させる
ことを特徴とする請求項４に記載の照明装置。
【請求項６】
上記複数の反射面は、上記角錐空間の照明光の送出側部分に円錐台形状を有する円錐空間を形成し、上記角錐空間の上記開口から得られた上記反射光を上記円錐空間によって集めて上記照明光として射出する
ことを特徴とする請求項１又は２に記載の照明装置。
【発明の詳細な説明】
【技術分野】
【０００１】
本発明は照明装置に関し、指向性が高い、例えばＬＥＤ発光素子を光源とする場合に適用して好適なものである。
【背景技術】
【０００２】
従来、ＬＥＤ（Ｌｉｇｈｔ  Ｅｍｉｔｔｉｎｇ  Ｄｅｖｉｃｅ）を光源とすると共に、照明光の照度を高める工夫をした照明装置が提案されている（特許文献１及び２参照）。
【先行技術文献】
【特許文献】
【０００３】
【特許文献１】特開２００８−５２９３９公報
【特許文献２】実用新案登録第３１１２８５１号公報
【発明の概要】
【発明が解決しようとする課題】
【０００４】
ＬＥＤ発光素子から放射される放射光は、原理的に、ダイオード構成の半導体接合面において生成されるので、指向性が高いことにより、ＬＥＤ発光素子単独では放射角が限定される特性がある。
【０００５】
従って、複数のＬＥＤ発光素子でなる光源によって得た放射光によって、できるだけ大きい照度の照明光を得ようとする場合、特許文献１及び２に開示されているような反射板を単に用いた構成では、照度が不十分な問題がある。
【０００６】
本発明は以上の点を考慮してなされたもので、複数の発光素子を有する光源から放射された放射光に基づいて、格段的に照度が大きい照明光を得ることができるようにした照明装置を提案しようとするものである。
【課題を解決するための手段】
【０００７】
かかる課題を解決するため本発明においては、光源２を通る中心軸線Ｌ１を中心として、互いに連接する複数の反射面３ＡＸ〜３ＨＸを対向するように設けることにより形成された角錐空間部３Ｘ１を有し、複数の反射面３ＡＸ〜３ＨＸは、中心軸線Ｌ１と直交する幅方向において、当該幅方向と直交する厚さ方向に内側に湾曲していると共に、光源から放射された放射光に基づいて、角錐空間部３Ｘ１において生起した散乱反射光成分を集光して照明光として角錐空間部３Ｘ１の開口から射出するようにする。
【発明の効果】
【０００８】
本発明によれば、複数の反射面によって形成された角錐空間部において、光源から放射された放射光に基づいて、散乱反射光を生起させ、当該散乱反射光成分を集光して照明光として角錐空間部の開口から射出させるようにしたことにより、照度が大きい照明光を照明できる照明装置を得ることができる。
【図面の簡単な説明】
【０００９】
【図１】本発明による照明装置の一実施の形態を示す斜視図である。
【図２】図１の光源２の詳細構成を示す斜視図である。
【図３】図２のＬＥＤ発光素子１１の詳細構成を示す略線的斜視図である。
【図４】図１の反射板部３の詳細構成を示す正面図である。
【図５】図４の反射板３Ａ〜３Ｈの詳細構成を示す略線的斜視図である。
【図６】反射板３Ａ〜３Ｈの湾曲形状の説明に供する略線図である。
【図７】反射板３Ａ〜３Ｈの放射光に対する反射の説明に供する略線図である。
【図８】反射光の反射分散動作の説明に供する略線図である。
【図９】反射分散光束の再反射の説明に供する略線図である。
【図１０】光源２から反射板３Ａ〜３Ｈに放射する放射光の説明に供する略線図である。
【図１１】反射板部３から放出される照明光ＬＴの光成分の説明に供する略線図である。
【発明を実施するための形態】
【００１０】
以下図面について、本願発明の一実施の形態を詳述する。
【００１１】
（１）照明装置の構成
図１において、１は全体として照明装置を示し、中心軸線Ｌ１上に配設された光源２の周囲に、断面８角形状の角錐空間部３Ｘ１を有する反射内部空間３Ｘを形成してなる反射板部３が設けられていると共に、反射板部３の後端側に光源２に対する電源部４が設けられている。
【００１２】
これにより電源部４の電源出力によって光源２から放射された放射光に基づいて反射内部空間３Ｘにおいて生成された照明光ＬＴが、反射板部３の前端面に形成された照明装置１の開口１Ａから前方に投射されるようになされている。
【００１３】
光源２は図２に示すように、円板状の基板２Ａ上に規則正しく配列された複数例えば２４個のＬＥＤ発光素子１１を有する。
【００１４】
この実施の形態の場合、ＬＥＤ発光素子１１は基板２Ａ上に平行に想定した６本の仮想線Ｌ２Ａと、この仮想線Ｌ２Ａと直交する方向に平行に延長する６本の仮想線Ｌ２Ｂとの交点位置に設けられている。
【００１５】
ＬＥＤ発光素子１１は、図３に示すように、基板２Ａ上に取り付けられた基台部１１Ａに設けられたＬＥＤダイオードに被さるように、円錐形状の光透過部材１１Ｂが付着された構成を有し、これにより、基台部１１Ａに設けられたＬＥＤダイオードから放射した放射光ｅが円錐形境界面で反射又は屈折透過するようなプリズム・レンズ作用を受けながら光透過部材１１Ｂから外部に放射される。
【００１６】
ここで、光透過部材１１Ｂはその頂角部分が中心軸線Ｌ１に沿って上方向に突出するように設けられ、これによりＬＥＤダイオードから生起された放射光ｅは、光透過部材１１Ｂのプリズム・レンズ作用によって、そのほとんどの光エネルギーが中心軸線Ｌ１に対して直交する方向（これを横方向と呼ぶ）に放射される。
【００１７】
反射板部３は、図４に示すように、ほぼ台形形状を有する８枚の反射板３Ａ〜３Ｈが光源２の基板２Ａを取り囲むように互いに隣接して接合して電源部４の筐体４Ａ上に配設され、隣合う反射板３Ａ〜３Ｈが接合境界線部１２Ａ〜１２Ｈにおいて互いに連結されることにより、中心軸線Ｌ１と直交するように配設された光源２を中心として、根元側から先端側に行くに従って外方に拡大する、全体としてほぼ８角錐形状の角錐空間部３Ｘ１（角錐部３Ｙ１によって形成される）と、円錐台形状を有する円錐台空間部３Ｘ２（円錐台部３Ｙ２によって形成される）とを有する反射内部空間３Ｘを形成している。
【００１８】
各反射板３Ａ〜３Ｈは、図５に示すように、全体として湾曲部２０によって構成されており、互いに連接する幅方向において、その板厚方向、従って中心軸線Ｌ１に対して横方向に、外方に、外側に凹むように湾曲した外観形状を有する。
【００１９】
この実施の形態の場合、反射板３Ａ〜３Ｈが互いに連接した状態において、反射内部空間３Ｘの開口１Ａ側の開口側端面２０Ｂ及びこれに続く先端領域２０Ｃが、全体として断面円形の円錐台形状を有する。
【００２０】
これに対して、湾曲部２０のうち当該先端領域２０Ｃを残してその境界仮想線２０Ｅから、光源２の基板２Ａが設けられている筐体４Ａに接する根元側端面２０Ａまでの間の本体領域２０Ｄの各位置において、図６に示すように、仮想円錐形状の円口径より大きい円口径をもつような湾曲形状に選定されている。
【００２１】
すなわち、反射板部３の筐体４Ａに接触してる根元側端面２０Ａの湾曲形状は当該根元側端面２０Ａの最外径に連接する円形仮想線２０Ａ１の円口径より大きい円口径を有する。
【００２２】
これと共に、当該根元側端面２０Ａより開口側端面２０Ｂ側に移動した位置における中間内面２０Ｆは、その位置における反射板３Ａ〜３Ｈの両端位置に外接する円錐断面における円形仮想線２０Ｆ１の円口径よりも大きい口径をもつような湾曲形状を有する。
【００２３】
かくして反射板３Ａ〜３Ｈの湾曲部２０の本体領域２０Ｄの境界仮想線２０Ｅから根元側端面２０Ａに到るまでの各位置において、接合境界線部１２Ａ〜１２Ｈ間の湾曲形状は、当該接合境界線１２Ａ〜１２Ｈに外接する円形仮想線２０Ａ１〜２０Ｆ１より大きい円口径をもつような８角円錐角形状の内面を形成すると共に、その開口側部分に円錐台形状の先端領域２０Ｃを設けた構成を形成し、この結果光源２から放射される放射光ｅに基づいて大きい照度の照明光ＬＴを開口１Ａから投射することができる。
【００２４】
（２）照明光の生成動作
図５について上述したように、反射板３Ａ〜３Ｈの湾曲部２０の根元側から先端領域２０Ｃを残す範囲に形成された本体領域２０Ｄが幅方向について厚さ方向に外側に凹むように湾曲した形状をもつことにより、図７（Ｂ）に示すように、光源２上に設けられたＬＥＤ発光素子１１から横方向に放射された放射光ｅは、光源２を取り囲む反射板３Ａ〜３Ｈについてそれぞれ幅方向に膨張した楕円形状の反射光像２５を生ずる。
【００２５】
ここで反射光像２５が横方向に膨張した光像となるのは、図７（Ａ）に比較例として示すように、例えば仮想反射板３ＡＸ〜３ＨＸとして平面板を用いた場合には、光源２から放射された放射光ｅの光成分は、ＬＥＤ発光素子１１から放射されてから平板面に到達させるまでの距離が互いに等しいために、反射光像２５Ｘの形状は光源２とほぼ同様の円形形状を呈する。
【００２６】
これに対して、反射板３Ａ〜３Ｈが、図７（Ｂ）に示すように、幅方向について厚さ方向に外方に湾曲しているので、光源２の各ＬＥＤ発光素子１１から放射した放射光ｅを構成する光成分が反射板４Ａ〜４Ｈの反射面上の位置に到達するまでの距離が、幅方向において少しずつ異なるために、反射板３Ａ〜３Ｈの板面上に生成される反射光像２５は、光源２が円形であるのに対して、横方向に膨張した楕円形状になる。
【００２７】
このような現象と共に、光源２の複数のＬＥＤ発光素子１１からそれぞれ互いに並行に放射された光成分でなる放射光ｅが、比較例として図７（Ａ）に示すような平面反射面に入射する場合には、光成分の位置が多少ずれても、反射した反射光ｅｘ１はほぼ同じ方向に反射されるのに対して、図７（Ｂ）に示す反射板３Ａ〜３Ｈにおいては、ほぼ並行に入射した放射光ｅの光成分の反射板面上における入射位置が少しずつずれるので、当該ずれた位置の反射板の湾曲形状、従って反射面の傾斜が少しずつ異なるために、当該湾曲面において反射した反射光束ｅｘ２はその湾曲形状に応じて分散する方向に反射する。
【００２８】
このように、図５に示すように本体領域２０Ｄにおいて湾曲した形状を有する反射板３Ａ〜３Ｈは、光源２のＬＥＤ発光素子１１から横方向に放射されて来た放射光ｅを構成する光成分が、それぞれ入射位置及び当該入射位置における湾曲形状の差に応じて異なる方向に反射した反射光束ｅｘ２になって角錐空間部３Ｘ１内に反射される。
【００２９】
ここで、角錐空間部３Ｘ１における反射板３Ａ〜３Ｈの湾曲の仕方は、反射板３Ａ〜３Ｈの幅方向において、厚さ方向に外方に凹むように湾曲するような湾曲形状であると共に、反射板３Ａ〜３Ｈは全体として角錐を形成するように、根元側端面２０Ａから開口側端面２０Ｂに行くに従って外方に拡大するように傾斜しているので（図７（Ｂ））、反射光束ｅｘ２は角錐空間部３Ｘ１の開口１Ａ側に傾いた方向にある他の反射板３Ａ〜３Ｈの開口１Ａに近い位置に反射される。
【００３０】
当該反射光束ｅｘ２は、角錐空間部３Ｘ１内に散乱されながら反射された後、図８に示すように、反射方向にある他の反射板３Ａ〜３Ｈに入射すると、反射光ｅｘを構成している光成分の入射位置が異なることにより各入射位置における湾曲形状が異なることになり、さらに反射分散光束ｅｘ２１、ｅｘ２２……ｅｘ２５として示すように、互いに異なる方向に反射する。
【００３１】
この反射分散光束ｅｘ２１〜ｅｘ２５の光成分は、反射位置が近接していると共に、入射した反射板の湾曲形状がほぼ同じであれば、それぞれ少しずつずれた分散方向に反射分散光束ｅｘ２１〜ｅｘ２５のような光束として反射して行く。
【００３２】
しかしながら、当該反射分散光束ｅｘ２１〜ｅｘ２５の光成分も、光束内における位置がずれているので、その後も反射板３Ａ〜３Ｈに入射するごとに、各入射位置における湾曲形状が異なるので、異なる方向にある他の反射板３Ａ〜３Ｈの方向に分散反射して行く。
【００３３】
この角錐空間部３Ｘ１内の動作を、図９において本体領域２０Ｄを４枚の仮想反射板３Ｘ１〜３Ｘ４で囲んだ構成の反射板部３を想定して述べれば、光源２の１つのＬＥＤ発光素子１１から放射された放射光ｅが仮想反射板３Ｘ１において反射したとき、３つの反射分散光束ｅｘ２１、ｅｘ２２、ｅｘ２３が分散しながら対向する仮想反射板３Ｘ３に向かう。
【００３４】
そのうちの１本の反射分散光束ｅｘ２１についてみれば、これが仮想反射板ｅｘ３において反射されて複数の反射分散光束に分散され、そのうちの１つを見れば２次反射分散光束ｅｘ２１−１として仮想反射板３Ｘ１の方向に反射される。
【００３５】
この２次反射分散光束ｅｘ２１−１が仮想反射板３Ｘ１において反射される際に、これが複数の３次反射分散光束に分散して反射され、その１つを見れば３次反射分散光束ｅｘ２１−１−１として仮想反射板３Ｘ４の方向に折り返される。
【００３６】
この３次反射分散光束ｅｘ２１−１−１は仮想反射板３Ｘ４において反射したとき、さらに４次反射分散光束に分散され、その１つを見れば４次反射分散光束ｅｘ２１−１−１−１が仮想反射板３Ｘ２の方向に折り返されて再度反射される。
【００３７】
このとき発生した５次反射分散光束の１つｅｘ２１−１−１−１−１を見れば仮想反射板３Ｘ４の方向に折り返され、ここで５次反射分散光束ｅｘ２１−１−１−１−１として分散される。
【００３８】
このようにして光源２を構成する各ＬＥＤ発光素子１１から放射された放射光ｅは、反射板部３を構成する反射板３Ａ〜３Ｈの本体領域２０Ｄによって構成される角錐空間部３Ｘ１内を、反射されながら行き来している間において、反射板３Ａ〜３Ｈによって反射されるごとに反射分散光束として分散されて行く。
【００３９】
この放射光ｅの反射分散動作は、反射板３Ａ〜３Ｈの本体領域２０Ｄを構成する角錐空間部３Ｘ１が開口１Ａの方向に外側に開くように傾斜していることにより、分散光束を発生するごとに当該分散光束を開口１Ａの方向に向きを変えながら反射されて行き、やがて反射板３Ａ〜３Ｈの境界仮想線２０Ａを越えて先端領域２０Ｃに到達すると、当該先端領域２０Ｃは円錐形状をもっているので、当該先端領域２０Ｃにおいて反射された分散光束は中心軸線Ｌ１の方向に集光されながら、開口１Ａから照明装置１の照明光ＬＴとして外部に放射される。
【００４０】
このようにして、照明装置１は反射板３Ａ〜３Ｈの湾曲形状を有する本体領域２０Ａによって形成される角錐空間部３Ｘ１を通っている間に、開口１Ａから放射すべき照明光ＬＴとして反射分散した光成分を集光し、これにより得られる照明光ＬＴの照度は当該反射分散動作における分散光束が繰返し生起されることにより、開口１Ａから放出される際には、光源２ＡのＬＥＤ発光素子１１がもっている光エネルギーを最大限に利用するような高い照度になっている。
【００４１】
（３）動作及び効果
以上の構成の照明装置１において、光源２のＬＥＤ発光素子１１から放射される放射光ｅは、被せられている光透過部材１１Ｂのプリズム・レンズ効果によって、中心軸線Ｌ１に対して横方向に、外方に、放射状に、強い光度の光束でなる放射光ｅを放射する。
【００４２】
この光源２からの放射光ｅは８枚の反射板３Ａ〜３Ｈによって形成されている反射内部空間３Ｘのうち、根元側の角錐空間部３Ｘ１を形成する本体領域２０Ｄに放射される。
【００４３】
反射板３Ａ〜３Ｈの本体領域２０Ｄは、幅方向について、外方に凹むように湾曲する形状を有することにより、放射光ｅによって反射板３０Ａ〜３０Ｈの根元部分には光源２の形状が幅方向に拡がったような反射光像２５を形成する（図５）。
【００４４】
かくして、反射光像２５は、図１０に示すように、反射板部３の反射内部空間３Ｘのうち、角錐空間部３Ｘ１の根元部分に光源２を取り囲むように生成される。
【００４５】
この反射光像２５は、図７について上述したように、反射板３Ａ〜３Ｈの本体領域２０Ｄに照射したとき、当該放射光ｅを構成する光成分が一定の拡がりをもっていることにより、当該光成分が互いに異なる位置において、当該異なる位置の湾曲形状に従って反射方向が分散されるように角錐空間部３Ｘ１に折り返し反射される。
【００４６】
かくして反射光像２５を構成する放射光ｅの各放射光束は、分散された反射光束ｅｘ２として、反射方向にある反射板３Ａ〜３Ｈの方向に反射されて行く（図７（Ｂ））。
【００４７】
ここで反射板３Ａ〜３Ｈは照明装置１の開口１Ａ方向に開くように中心軸線Ｌ１を中心として傾斜していることにより、反射光束ｅｘ２は反射光像２５の生成位置より開口１Ａ側に移った位置に反射される。
【００４８】
当該反射光束ｅｘ２は、図８について上述したように、反射方向にある反射板３Ａ〜３Ｈに入射する際に、当該反射板３Ａ〜３Ｈが幅方向に湾曲していることによって反射光束ｅｘ２を構成する光成分が入射する位置及びその湾曲形状に応じてさらに分散する方向に反射されることにより、１つの反射光束ｅｘ２から複数の反射分散光束ｅｘ２１〜ｅｘ２５が分散されながら反射される。
【００４９】
同じようにして、その後当該分散されながら反射された分散光束は、図９について上述したように、反射方向にある反射板３Ａ〜３Ｈにおいて反射されるごとにその光成分が分散されながら折り返し反射されるような動作を角錐空間部３Ｘ１において繰り返される。
【００５０】
かくして当該反射分散光束ｅｘ２１が繰り返し反射されるごとに、２次反射分散光束ｅｘ２１−１、３次反射分散光束ｅｘ２１−１−１、４次反射分散光束ｅｘ２１−１−１……が角錐空間部３Ｘ１を横切るように生成される。
【００５１】
このようにして８枚の反射板３Ａ〜３Ｈが形成する角錐空間部３Ｘ１においては、各反射板３Ａ〜３Ｈに放射された放射光ｅの光成分が２次、３次、４次……反射分散光束として折り返し反射されることにより、当該反射分散光束によって角錐空間部３Ｘ１が充満された状態になる。
【００５２】
反射分散することにより得られた反射分散光束はやがて反射板３Ａ〜３Ｈの開口１Ａ側端部に設けられた円錐台空間部分３Ｘ２において反射された後開口１Ａから中心軸線Ｌ１の先端方向に放出される。
【００５３】
ここで、円錐台空間部分３Ｘ２を形成する円錐台部３Ｙ２は断面円形形状をもつことにより、反射光は中心軸線Ｌ１に集光する方向に反射される。
【００５４】
その結果、照明装置１から照射される照明光ＬＴは反射板部３、従って照明装置１の開口１Ａ側の正面方向から見たものとして図１１に示すように、反射板部３を構成する８枚の反射板３Ａ〜３Ｈの角錐部３Ｙ１によって分散されながら反射された反射分散光束に基づいて、円錐台部３Ｙ２によって中心軸線Ｌ１方向に集光された反射分散光束として中心軸線Ｌ１に沿う方向に照明光ＬＴとして放出される。
【００５５】
上述の構成によれば、照明装置１から得られる照明光１Ｂは、幅方向について厚さ方向に湾曲した複数の反射板３Ａ〜３Ｈによって形成された角錐空間部３Ｘ１において、光源２から放射される放射光ｅを、その光成分を当該角錐空間部３Ｘ１において繰り返し分散させながら反射させると共に、これを集光して照明光ＬＴを生成するようにしたことにより、当該角錐空間部３Ｘ１における分散反射動作により、光源２を構成するＬＥＤ発光素子１１から放射された光エネルギーを十分に活用することができ、その結果格段的に照度が大きい照明光ＬＴを得ることができる。
【００５６】
因に、平板状の反射板によって角錐空間部を構成した場合には、当該反射板の数分だけの照度を照明光として得ることができると考えられるが、上述の構成によれば、反射板３Ａ〜３Ｈを幅方向について湾曲させることにより、平面板の場合と比較して倍以上の照度を得ることができた。
【００５７】
実験によれば、電源部４から光源２に供給される消費電力と同じ消費電力の水銀灯を用いた場合と比較すると、上述の構成の照明装置によって得られる照明光については約１０倍程度の照度が得られた。
【００５８】
（４）他の実施の形態
（４−１）上述の実施の形態においては、反射板部３として、角錐部３Ｙ１の先端側に円錐台部３Ｙ２を設けた場合について述べたが、円錐台部３Ｙ２を省略しても、上述のように照明光として高い照度の照明光を得ることができる。
【００５９】
因に上述の実施の形態のように円錐台部３Ｙ２を設ければ、開口１Ａの部分において、円錐台形状の反射板が設けられていることにより、角錐空間部３Ｘ１を形成する反射板３Ａ〜３Ｈ間の隣接する部分に対応して、光の濃淡が生ずる。
【００６０】
（４−２）上述の実施の形態の場合は、角錐空間部３Ｘ１を、８枚の反射板によって８角錐にした場合について述べたが、反射板の枚数はこれに限らず、要は当該角錐空間部３Ｘ１において反射ごとに分散する反射光束を折り返し他の反射板に反射できる複数枚の反射板を設ければ良く、４枚、６枚、１６枚としたり、その間の奇数枚としたりするようにしても上述の場合と同様の効果を得ることができる。
【００６１】
（４−３）上述の実施の形態としては、鋭い指向性をもったＬＥＤ素子によって光源２を構成するようにしたが、発光素子としてはこれに限らず、要は照明装置１の中心軸線Ｌ１に対して横方向に指向性をもった放射光を生成するような光源を用いれば良い。
【００６２】
（４−４）上述の実施の形態においては、図５について上述したように、光源２から放射される放射光の反射光像２５を、反射板３Ａ〜３Ｈの幅一杯にまで膨張させるように反射板３Ａ〜３Ｈの湾曲円弧を選定することにより光源２の放射光ｅを最大限に有効利用するようにした場合について述べたが、当該反射光像２５の膨張度としては、反射板３Ａ〜３Ｈの幅より小さくしても良く、場合によっては当該反射板３Ａ〜３Ｈの幅を越えるように膨張させても良い。
【００６３】
このようにした場合、光源２の活用効果が多少劣化するが、照度の拡大という効果は上述の場合と同様に得ることができる。
【００６４】
（４−５）上述の実施の形態においては、複数板の反射板３Ａ〜３Ｈの反射面を用いて角錐空間部３Ｘ１を構成したが、反射面としては板構成に限らず、要は、複数の反射面を、幅方向において、中心軸線を中心として、当該幅方向と直交する方向に外方に凹むように湾曲する反射面を有する反射手段を用いれば良い。
【産業上の利用可能性】
【００６５】
本発明は屋内外の照明対象物を照明する場合に利用できる。
【符号の説明】
【００６６】
１……照明装置、１Ａ……開口、２……光源、２Ａ……基板、３……反射板部、３Ａ〜３Ｈ……反射板、３Ｘ……内部空間、３Ｘ１……角錐空間部、３Ｘ２……円錐台空間部、３Ｙ１……角錐部、３Ｙ２……円錐台部、３Ｚ……開口、４……電源部、５……筐体部、６……取付金具、１１……ＬＥＤ発光素子、１１Ａ……基台部、１１Ｂ……光透過部材、１２Ａ〜１２Ｈ……接合境界線部、４Ａ……光源取付基板、２０……湾曲部、２０Ａ……根元側端面、２０Ｂ……開口側端面、２０Ｃ……先端領域、２０Ｄ……本体領域、２０Ｅ……境界仮想線。
【図１】
2013201036.tif 000003
【図２】
2013201036.tif 000004
【図３】
2013201036.tif 000005
【図４】
2013201036.tif 000006
【図５】
2013201036.tif 000007
【図６】
2013201036.tif 000008
【図７】
2013201036.tif 000009
【図８】
2013201036.tif 000010
【図９】
2013201036.tif 000011
【図１０】
2013201036.tif 000012
【図１１】
2013201036.tif 000013